(57)【要約】    【課題】冷媒を流通させるキャピラリチューブに逆止弁を接続する際の逆止弁の逆接続を防止することができる逆止弁の接続構造を提供する。    【解決手段】一方向にのみ冷媒を流す逆止弁２Ｂの両端側に、同径の接続部１６ａ、１６ｂ、１６ｃ、１６ｄ、１６ｅ、１６ｆを設ける。室内側の接続部１６ｄ、１６ｅ、１６ｆにストッパ２０を設ける。ストッパ２０が室内側における挿入長を長さ（Ｃ）に規制する。暖房用キャピラリチューブ３の室外側端部および室外側キャピラリチューブ９、１０の端部に、長さ（Ａ）の挿入部１９ａを示すビード１８（突起）を設ける。挿入部１９ａの長さ（Ａ）は、ストッパ２０によって規制される長さ（Ｃ）よりも長く設定する。挿入部１９ａを室内側の挿入部１６ｄ、１６ｅ、１６ｆに挿入する。逆止弁２Ｂを逆接続していることに一見して気付く。【選択図】図５
2007024351.tif 000002
【特許請求の範囲】
【請求項１】
冷房運転時と暖房運転時とで冷媒の流れ方向が逆方向となる冷凍サイクルにおいて、
室外側熱交換器と室内側熱交換器との間に設けられ、冷房運転時に室外側熱交換器側から室内側熱交換器に向かう冷媒のみを流通させ、冷媒の逆方向への流れを阻止する逆止弁と、該逆止弁に並列接続され暖房運転時に室内側熱交換器から室外側熱交換器に向かう冷媒を流通させる暖房用キャピラリチューブと、前記逆止弁よりも室外側で並列に配された複数本の室外側キャピラリチューブと、前記逆止弁よりも室内側で並列に配された複数本の室内側キャピラリチューブとを備え、
前記逆止弁の両端に、キャピラリチューブを接続するための複数の接続部が形成され、複数本の室外側キャピラリチューブおよび複数本の室内側キャピラリチューブが、前記逆止弁の両端接続部に直接接続されたことを特徴とする冷凍サイクルの冷媒絞り装置。
【請求項２】
前記逆止弁は、その室外側および室内側の接続部を互いに同径に設定され、逆止弁の逆接続を防止するための逆接続防止手段が設けられたことを特徴とする請求項１に記載の冷媒絞り装置。
【請求項３】
室外側キャピラリチューブおよび室内側キャピラリチューブは、その一端に設けられた挿入部を逆止弁の接続部に挿入することによって逆止弁に接続され、
室外側キャピラリチューブの挿入部と室内側キャピラリチューブの挿入部とは、互いに異なる長さに設定され、
前記逆接続防止手段として、室外側キャピラリチューブおよび室内側キャピラリチューブの挿入部のうちの短い方を挿入される逆止弁の接続部に、該接続部への挿入可能な長さを短い方の前記挿入部と等しい長さに規制するストッパが設けられたことを特徴とする請求項２に記載の冷媒絞り装置。
【請求項４】
流体を流通させる流通管と、一方向にのみ流体を流通させる逆止弁とを接続するための接続構造であって、
前記逆止弁の両側に、流通管を接続するための同径の接続部が設けられ、前記流通管は、その一端に設けられた挿入部を逆止弁の接続部に挿入することによって逆止弁に接続され、前記逆止弁の両側の接続部のうちの少なくとも一方に、逆止弁の逆接続を防止するための逆接続防止手段が設けられたことを特徴とする逆止弁の接続構造。
【請求項５】
前記逆止弁の一端側の接続部に接続される流通管に、その挿入部を示す一端側目印が設けられ、
前記逆接続防止手段として、逆止弁の他端側の接続部に、該他端側の接続部への挿入可能な長さを前記一端側目印が示す挿入部の長さと異なる長さに規制するストッパが設けられたことを特徴とする請求項４に記載の逆止弁の接続構造。
【請求項６】
前記逆止弁の他端側の接続部に接続される流通管に、前記ストッパによって規制される長さと等しい長さの挿入部を示す他端側目印が設けられたことを特徴とする請求項５に記載の逆止弁の接続構造。
【請求項７】
前記逆止弁の一端側の接続部に接続される流通管に、前記一端側目印としての突起が形成され、該突起が示す挿入部は、前記ストッパによって規制される長さよりも長く設定されたことを特徴とする請求項５又は６に記載の逆止弁の接続構造。
【請求項８】
前記逆止弁の他端側の接続部に接続される流通管に、前記他端側目印としての突起が形成されたことを特徴とする請求項６に記載の逆止弁の接続構造。
【請求項９】
一端側目印又は他端側目印としての前記突起は、ビーディング加工によって形成されたビードとされたことを特徴とする請求項７又は８に記載の逆止弁の接続構造。
【請求項１０】
前記接続部は、複数本の流通管を接続可能なように、逆止弁の両端部から複数に分岐して形成されたことを特徴とする請求項４〜９のいずれかに記載の逆止弁の接続構造。
【発明の詳細な説明】
【技術分野】
【０００１】
本発明は、逆止弁と、この逆止弁の両側をバイパス接続する暖房用キャピラリチューブとを備え、ヒートポンプ式空気調和機の冷凍サイクルに設けられて冷房時と暖房時とで異なる減圧量で冷媒を減圧する冷媒絞り装置、および流通管と逆止弁とを接続するための逆止弁の接続構造に関するものである。
【背景技術】
【０００２】
一般に、冷媒の循環方向を切り替えて冷暖房を兼用するヒートポンプ式空気調和機の冷凍サイクルには、室外側熱交換器と室内側熱交換器との間を流通する冷媒を減圧する（絞る）ための冷媒絞り装置が設けられている。
【０００３】
図１１にヒートポンプ式空気調和機の冷媒絞り装置の一例を示す。冷媒絞り装置１Ｃは、冷房時と暖房時とで異なる減圧量（絞り量）で冷媒を減圧するものであり、室外側から室内側に冷媒を流通させる逆止弁２Ｃと、逆止弁２Ｃの両側をバイパス接続して室内側から室外側に冷媒を流通させる暖房用キャピラリチューブ３と、逆止弁２Ｃの室内側に接続されて冷媒を両方向に流通させる冷暖房用キャピラリチューブ４とを備えている。
【０００４】
冷房時に室外側から室内側に向かう冷媒は、逆止弁２Ｃを通過して、冷暖房用キャピラリチューブ４を流通する際に減圧され、冷暖房用キャピラリチューブ４の室内側に分岐管５を介して接続された２本の室内側キャピラリチューブ６、７で整流されて、室内側熱交換器の２つの冷媒入口に送り込まれる。
【０００５】
暖房時に室内側から室外側に向かう冷媒は、冷暖房絞り用キャピラリチューブ４および暖房用キャピラリチューブ３を流通する際に減圧され、逆止弁２Ｃの室外側に分岐管８を介して接続された２本の室外側キャピラリチューブ９、１０で整流されて、室外側熱交換器の２つの冷媒入口に送り込まれる。
【０００６】
なお、例えば特許文献１、２には、逆止弁とキャピラリチューブとを備えた冷媒絞り装置が開示されている。
【特許文献１】特開平６−２０１２２８号公報
【特許文献２】特開２００１−１７４１０６号公報
【発明の開示】
【発明が解決しようとする課題】
【０００７】
ところで、上記の冷媒絞り装置１Ｃは、逆止弁２Ｃ、暖房用キャピラリチューブ３、冷暖房用キャピラリチューブ４、分岐管５、室内側キャピラリチューブ６、７、分岐管８および室外側キャピラリチューブ９、１０を接続して構成されるものであり、部品点数が多く、その分、冷媒絞り装置を組み立てる際の工数も多くなる。
【０００８】
また、逆止弁２Ｃは、その流通方向が定められた部品であり、冷媒絞り装置を組み立てる際、表示１１を頼りに、流通方向を室外側から室内側に向けて配置する必要がある。図１２に示すように、その両側の接続部２Ｃａ、２Ｃｂの内径（Ｄ１、Ｄ２）が互いに異なる大きさである場合（Ｄ１＞Ｄ２）には、逆止弁２Ｃの逆接続が防止されるが、接続部２Ｃａ、２Ｃｂの内径（Ｄ１、Ｄ２）が同径である場合（Ｄ１＝Ｄ２）には、逆止弁２Ｃを逆接続するおそれがある。
【０００９】
本発明は、部品点数を少なくして組立を容易にすることができる冷媒絞り装置を提供し、さらに、逆止弁の逆接続を防止することができる逆止弁の接続構造を提供することを目的とする。
【課題を解決するための手段】
【００１０】
上記課題に鑑み、本発明に係る冷媒絞り装置は、冷房運転時と暖房運転時とで冷媒の流れ方向が逆方向となる冷凍サイクルにおいて、室外側熱交換器と室内側熱交換器との間に設けられ、冷房運転時に室外側熱交換器側から室内側熱交換器に向かう冷媒のみを流通させ、冷媒の逆方向への流れを阻止する逆止弁と、逆止弁に並列接続され暖房運転時に室内側熱交換器から室外側熱交換器に向かう冷媒を流通させる暖房用キャピラリチューブと、逆止弁よりも室外側で並列に配された複数本の室外側キャピラリチューブと、逆止弁よりも室内側で並列に配された複数本の室内側キャピラリチューブとを備えている。
【００１１】
逆止弁の両端に、キャピラリチューブを接続するための複数の接続部を形成し、複数本の室外側キャピラリチューブおよび複数本の室内側キャピラリチューブを逆止弁の両端接続部に直接接続する。そうすれば、逆止弁に室外側キャピラリチューブおよび室内側キャピラリチューブを接続するための分岐管を省略し、さらに、冷房時および暖房時に冷媒を流通させて減圧するための減圧専用の冷暖房用キャピラリチューブを省略することができ、その分、冷媒絞り装置の部品点数を少なくすることができる。
【００１２】
逆止弁に複数本の室外側キャピラリチューブおよび複数本の室内側キャピラリチューブを接続して分岐管を省略することにより、逆止弁の室外側および室内側の接続部が互いに同径になる場合には、逆接続防止手段を設けて逆止弁の逆接続を防止すればよい。
【００１３】
室外側キャピラリチューブおよび室内側キャピラリチューブは、その一端の挿入部を逆止弁の接続部に挿入することによって逆止弁に接続することができる。この場合、室外側キャピラリチューブの挿入部と室内側キャピラリチューブの挿入部とを互いに異なる長さに設定する。さらに、逆接続防止手段として、逆止弁の接続部のうち、室外側キャピラリチューブおよび室内側キャピラリチューブの挿入部のうちの短い方を挿入する接続部に、この接続部への挿入可能な長さを短い方の挿入部と等しい長さに規制するストッパを設ける。
【００１４】
そうすれば、逆止弁を逆接続するには、ストッパを設けた方の接続部に長い方の挿入部を挿入することになるので、ストッパによって、挿入部の全体を挿入することができず、逆止弁を逆接続していることを一見して気付かせることができる。
【００１５】
また、本発明に係る逆止弁の接続構造は、流体を流通させる流通管と、一方向にのみ流体を流す逆止弁とを接続するためのものであり、逆止弁の両端側に、流通管を接続するための同径の接続部を設けて、流通管をその一端の挿入部を逆止弁の接続部に挿入することによって逆止弁に接続する場合に、逆止弁の両側の接続部のうちの少なくとも一方に、逆止弁の逆接続を防止するための逆接続防止手段を設けたものである。
【００１６】
この構成によれば、例えば逆止弁の接続部を流通管の挿入部と同色に色付けしたり、流通管の挿入部に形成した溝や突起に噛み合う突起や溝を接続部に設けたりすることにより、逆止弁の両端側に設けた接続部が同径であっても、流体を流す方向が決まっている逆止弁の逆接続を防止することができる。
【００１７】
逆止弁の一端側の接続部に接続する流通管に、その挿入部を示す一端側目印を設ける。さらに、逆接続防止手段として、逆止弁の他端側の接続部に、この他端側の接続部への挿入可能な長さを一端側目印が示す挿入部の長さと異なる長さに規制するストッパを設ける。そうすれば、一端側の接続部に接続すべき流通管の挿入部を他端側の接続部に挿入したとしても、ストッパによって規制される挿入長と、一端側目印で示される挿入長とが異なるので、逆止弁を逆接続していることに一見して気付かせることができる。
【００１８】
なお、一端側の接続部に挿入する挿入部は、他端側の接続部に挿入する挿入部よりも短くてもよいが、他端側の接続部よりも一端側の接続部に挿入する挿入部を長く設定するのがより好ましい。これにより、一端側の接続部に接続すべき流通管の挿入部を他端側の接続部に挿入したとき、一端側目印が接続部内に隠れたり、ストッパが機能する前に一端側目印によって挿入部の挿入が阻止されたりすることを防止することができる。
【００１９】
逆止弁の他端側の接続部に接続する流通管に、ストッパによって規制される長さと等しい長さの挿入部を示す他端側目印を設ける。そうすれば、他端側の接続部に、接続すべき流通管の挿入部を挿入することにより、他端側のストッパによって規制される挿入長と、他端側目印で示される挿入長とが一致するので、逆止弁を正しく接続していることを確認することができる。
【００２０】
逆止弁の一端側の接続部に接続する流通管に、一端側目印としての突起を形成し、この突起が示す挿入部をストッパによって規制される長さよりも長く設定する。そうすれば、一端側目印としての突起を利用して、一端側の接続部への挿入長を所定の長さに規制することができる。なお、突起が示す挿入部が他端側における挿入部よりも長いので、一端側の接続部に接続すべき流通管の挿入部を他端側の接続部に挿入したとき、接続部から突起が浮き上がって、逆止弁を逆接続していることに一見して気付かせることができる。
【００２１】
逆止弁の他端側の接続部に接続する流通管に、他端側目印としての突起を形成すれば、他端側の接続部に、接続すべき流通管の挿入を挿入したとき、ストッパに加えて他端側目印としての突起を利用して所定の挿入長に規制することができる。これにより、挿入長の設定をより正確かつ確実にすることができる。
【００２２】
一端側目印又は他端側目印としての突起は、流通管の周面の一部から突出するものであってもよいが、周方向に連続するものであれば、その強度を高くすることができて好適である。この突起としては、ビーディング加工によって形成するビードを例示することができる。
【００２３】
接続部は、逆止弁の両端部に一つずつ設けてもよいが、複数本の流通管を接続可能なように、逆止弁の両端部から複数に分岐して形成したものであってもよい。分岐管などを用いることなく、複数本の流通管を逆止弁に直接に接続する場合、一端側の接続部と他端側の接続部とが同径になりやすく、本発明を好適に採用することができる。
【発明の効果】
【００２４】
本発明によると、整流用の室外側キャピラリチューブおよび室内側キャピラリチューブを減圧機能を有するものとし、さらに、それらを逆止弁に直接接続することにより、冷媒を減圧するための専用のキャピラリチューブと分岐管とを省略するので、冷媒絞り装置の部品点数を少なくして、その組立を容易にすることができる
また、例えばヒートポンプ式空気調和機の冷媒絞り装置を組み立てる際、その逆止弁を逆方向に向けて配置したとしても、そのことに一見して気付かせることができる。これにより、逆方向に向けたままでろう付けすることなく、正しく接続し直すことができ、流通管への逆止弁の逆接続を防止することができる。
【発明を実施するための最良の形態】
【００２５】
以下、本発明に係る冷媒絞り装置および逆止弁の接続構造を実施するための最良の形態について、図面を用いて説明する。
【００２６】
［第１実施形態］
まず、本発明に係る冷媒絞り装置の第１実施形態を説明する。図１は本発明に係る冷媒絞り装置を備えた冷凍サイクル図、図２は第１実施形態の冷媒絞り装置の平面図である。図３は逆止弁を示す図で、（ａ）は背面図、（ｂ）は平面図、（ｃ）は正面図である。図４は逆止弁の断面図である。
【００２７】
図１に示す冷凍サイクルは、例えばヒートポンプ式の一体型空気調和機に装備されるものであり、冷媒ガスを圧縮する圧縮機１２と、冷媒の循環方向を切り替える四方切替弁１３と、室外側で熱交換する２パスの室外側熱交換器１４と、室内側で熱交換する２パスの室内側熱交換器１５と、室外側熱交換器１４および室内側熱交換器１５間に設けられて冷媒を減圧（絞る）する冷媒絞り装置１Ａとを備え、これらを冷媒が通るように配管されている。
【００２８】
この冷凍サイクルは、四方切替弁１３を操作して、冷房時に、実線矢印で示す方向に冷媒を循環させ、暖房時に、破線矢印で示す方向に冷媒を循環させることにより、冷暖房で兼用される。
【００２９】
冷媒絞り装置１Ａは、冷房時と暖房時とで異なる減圧量で冷媒を減圧するためのものであり、冷房時に室外側から室内側に向かう冷媒のみを流通させて冷媒の逆方向への流れを阻止する逆止弁２Ａと、逆止弁２Ａに並列接続されて暖房時に室内側から室外側に向かう冷媒を流通させて減圧する暖房用キャピラリチューブ３と、逆止弁２Ａよりも室外側に並列に配されて冷媒を整流および減圧する２本の室外側キャピラリチューブ９、１０と、逆止弁２Ａよりも室内側に並列に配されて冷媒を整流および減圧する２本の室内側キャピラリチューブ６、７とを備えている。
【００３０】
逆止弁２Ａは、その流通方向を示す表示１１を付された中空状の逆止弁本体１６に、室内側から室外側への冷媒の流通を阻止する弁体１７を内装してなる。この逆止弁２Ａは、冷媒が室外側（図４における下側）から室内側（図４における上側）に向かうとき、冷媒の流体圧によって弁体１７が開き、冷媒が室内側から室外側に向かうとき、冷媒の流体圧によって弁体１７が閉じるようになっている。
【００３１】
逆止弁本体１６は、筒体の室外側の端部に、分岐する３つの接続部１６ａ、１６ｂ、１６ｃを形成し、筒体の室内側の端部に、分岐する３つの接続部１６ｄ、１６ｅ、１６ｆを形成した構造とされる。接続部１６ａ、１６ｂ、１６ｃおよび接続部１６ｄ、１６ｅ、１６ｆは、筒体の両端部のそれぞれ２箇所を押し潰すことによって形成される。
【００３２】
暖房用キャピラリチューブ３の両端付近と、室外側キャピラリチューブ９、１０および室内側キャピラリチューブ６、７の一端付近には、ビーディング加工によってビード１８が形成され、このビード１８よりも先端側が挿入部１９とされる。挿入部１９を接続部１６ａ、１６ｂ、１６ｃおよび接続部１６ｄ、１６ｅ、１６ｆに挿入するとき、ビード１８が、所定の挿入長に規制するためのストッパとして機能する。
【００３３】
暖房用キャピラリチューブ３は、その両端の挿入部１９を逆止弁２Ａの両側の接続部１６ａ、１６ｄに挿入して直接に接続することにより、弁体１７を挟んで両側をバイパス接続する。
【００３４】
室外側キャピラリチューブ９、１０は、分岐管などを用いることなく、その一端の挿入部１９を逆止弁２Ａの室外側の接続部１６ｂ、１６ｃに直接に接続され、その整流機能により、他端から室外側熱交換器１４の２つの冷媒入口に安定して冷媒を分配するようになっている。
【００３５】
室内側キャピラリチューブ６、７は、分岐管などを用いることなく、その一端の挿入部１９を逆止弁２Ａの室内側の接続部１６ｅ、１６ｆに直接に接続され、その整流機能により、他端から室内側熱交換器１５の２つの冷媒入口に安定して冷媒を分配するようになっている。
【００３６】
次に、逆止弁２Ａに、暖房用キャピラリチューブ３、室外側キャピラリチューブ９、１０および室内側キャピラリチューブ６、７を接続する手順を説明する。まず、逆止弁２Ａに付された刻印や印刷やシール貼り付けなどの表示１１に基づき、逆止弁２Ａを所定の方向に向けて配置する。
【００３７】
次いで、ビード１８が接続部１６ａ、１６ｂ、１６ｃおよび接続部１６ｄ、１６ｅ、１６ｆに当たるまで、暖房用キャピラリチューブ３の両端の挿入部１９を逆止弁２Ａの両側の接続部１６ａ、１６ｄに挿入し、室外側キャピラリチューブ９、１０の一端の挿入部１９を逆止弁２Ａの室外側の接続部１６ｂ、１６ｃに挿入し、室内側キャピラリチューブ６、７の一端の挿入部１９を逆止弁２Ａの室内側の接続部１６ｅ、１６ｆに挿入する。
【００３８】
その後、暖房用キャピラリチューブ３、室外側キャピラリチューブ９、１０および室内側キャピラリチューブ６、７を両側の接続部１６ａ、１６ｂ、１６ｃおよび接続部１６ｄ、１６ｅ、１６ｆにろう付けする。これにより、逆止弁２Ａに、暖房用キャピラリチューブ３、室外側キャピラリチューブ９、１０および室内側キャピラリチューブ６、７が確実に接続される。
【００３９】
次に、冷媒絞り装置１Ａを冷媒が流れる様子を説明する。冷房時には、圧縮機１２で高温・高圧とされた冷媒は、四方切替弁１３によって室外側熱交換器１４に導かれ、この室外側熱交換器１４で放熱・凝縮した後、室外側キャピラリチューブ９、１０を流通して減圧され、逆止弁２Ａに入る。この逆止弁２Ａをそのまま通過した後、室内側キャピラリチューブ６、７を流通して減圧され、室内側熱交換器１５で吸熱・蒸発した後、四方切替弁１３を通過して圧縮機１２に戻る。
【００４０】
暖房時には、圧縮機１２で高温・高圧とされた冷媒は、四方切替弁１３によって室内側熱交換器１５に導かれ、この室内側熱交換器１５で放熱・凝縮した後、室内側キャピラリチューブ６、７を通過して減圧され、逆止弁２Ａの弁体１７よりも室内側に入る。この逆止弁２Ａを通過することなく、暖房用キャピラリチューブ３を流通して減圧され、逆止弁２Ａの弁体１７よりも室外側に入り、室外側キャピラリチューブ９、１０を流通して減圧され、室外側熱交換器１４で吸熱・蒸発した後、四方切替弁１３を通過して圧縮機１２に戻る。
【００４１】
室外側キャピラリチューブ９、１０および室内側キャピラリチューブ６、７は、減圧専用のキャピラリチューブを不要にするだけの十分な絞り機能（減圧機能）を有するものであり、さらに、冷媒を整流して熱交換器の二つの冷媒入口に安定して分配するようになっている。なお、室外側キャピラリチューブ９、１０および室内側キャピラリチューブ６、７を逆止弁２Ａの接続部１６ｂ、１６ｃおよび接続部１６ｅ、１６ｆに直接に接続するので、逆止弁２Ａとの間に分岐管が不要である。
【００４２】
［第２実施形態］
次に、本発明の第２実施形態を説明する。図５は第２実施形態の冷媒絞り装置の平面図、図６は暖房用キャピラリチューブの側面図である。図７は逆止弁を示す図で、（ａ）は背面図、（ｂ）は平面図、（ｃ）は正面図である。図８は逆止弁の断面図である。
【００４３】
第２実施形態の冷媒絞り装置１Ｂは、第１実施形態の冷媒絞り装置１Ａとほぼ同じ構成であるが、その逆止弁２Ｂの両側の接続部１６ａ、１６ｂ、１６ｃおよび接続部１６ｄ、１６ｅ、１６ｆの内径（Ｄ）が互いに同径に設定される場合に採用されるものであり、図９に示すような、逆止弁１Ａの逆接続を防止するようにしたものである。すなわち、逆止弁２Ｂに、暖房用キャピラリチューブ３、室外側キャピラリチューブ９、１０および室内側キャピラリチューブ６、７を接続する際の逆止弁２Ｂの逆接続を防止するための逆接続防止手段が設けられている。
【００４４】
暖房用キャピラリチューブ３の室外側端部および室外側キャピラリチューブ９、１０の一端部には、挿入部１９ａが形成され、暖房用キャピラリチューブ３の室内側端部および室内側キャピラリチューブ６、７の一端部には、挿入部１９ｂが形成されている。そして、挿入部１９ａの長さ（Ａ）は、挿入部１９ｂの長さ（Ｂ）よりも長く設定されている（Ａ＞Ｂ）。
【００４５】
逆止弁２Ｂの室内側の接続部１６ｄ、１６ｅ、１６ｆの穴内部には、逆接続防止手段としての突起状のストッパ２０が設けられている。ストッパ２０は、暖房用キャピラリチューブ３および室内側キャピラリチューブ６、７の挿入部１９ｂの先端を当接させて、接続部１６ｄ、１６ｅ、１６ｆへの挿入可能な長さを（Ｃ）に規制するようになっている。長さ（Ｃ）は、挿入部１９ａの長さ（Ａ）よりも短く（Ａ＞Ｃ）、挿入部１９ｂの長さ（Ｂ）と等しく（Ｂ＝Ｃ）設定されている。
【００４６】
図１０に示すように、逆止弁１Ｂを逆向きに配置して挿入部１９ａを接続部１６ｄ、１６ｅ、１６ｆに挿入しようとしても、ストッパ２０で規制されることにより、挿入部１９ａは、その長さ（Ａ）よりも短い長さ（Ｃ）しか挿入することができない。これにより、ビード１８を接続部１６ｄ、１６ｅ、１６ｆの穴周縁に当接させるまで、挿入部１９ａを接続部１６ｄ、１６ｅ、１６ｆに押し込むことができず、逆止弁１を逆向きに配置していることを一見して気付かせることができる。他の構成は第１実施形態と同じである。
【００４７】
なお、本発明は、上記の実施の形態に限定されるものではなく、本発明の範囲内において、適宜変更を加えることができる。例えば、冷媒絞り装置は、一体型のヒートポンプ式空気調和機の冷凍サイクルに装備するものだけでなく、室内機と室外機とを備えたヒートポンプ式空気調和機の冷凍サイクルに装備するものであってもよい。
【００４８】
逆止弁２Ａ、２Ｂと、暖房用キャピラリチューブ３、室外側キャピラリチューブ９、１０および室内側キャピラリチューブ６、７との接続は、逆止弁２Ａ、２Ｂの接続部１６ａ、１６ｂ、１６ｃおよび接続部１６ｄ、１６ｅ、１６ｆに各キャピラリチューブの挿入部１９を挿入する代わりに、逆止弁２Ａ、２Ｂの接続部を各キャピラリチューブの挿入部１９に挿入するようにしてもよい。
【００４９】
逆接続防止手段を備えた逆止弁２Ｂは、冷凍サイクルに設けるものに限らず、他の流体を流通させる流通管に接続するものであってもよい。この場合、逆止弁２Ｂは、その両端側の接続部が同径であればよく、逆止弁２Ｂに複数の流通管を直接に接続する代わりに、同径の分岐管を介在させて接続するものであってもよい。また、逆止弁２Ｂの両端側の接続部１６ａ、１６ｂ、１６ｃおよび接続部１６ｄ、１６ｅ、１６ｆは、その全てが同径である必要はなく、対になる接続部（１６ａと１６ｄ、１６ｂと１６ｅ、１６ｃと１６ｆ）が同径であればよい。
【００５０】
ストッパ２０は、逆止弁２Ｂの室内側（流通方向を示す矢印の先端側）に設けるだけでなく、室外側に設けることもできる。この場合、室外側の挿入部１９ａを室内側の挿入部１９ｂよりも短く設定する。さらに、逆止弁２Ｂの両側にストッパ２０を設けることもでき、この場合、両ストッパ２０が規制する挿入長を異なる長さに設定しておく。ストッパ２０の形状は、突起状だけでなく、流通管の挿入を規制するテーパなどであってもよい。
【００５１】
また、ビーディング加工によってキャピラリチューブの全周を取り巻くビードを形成する代わりに、周方向の一部から突出する突起を設けるようにしてもよい。さらに、突起（ビード）の代わりに、色付けなどの目印を設けただけの構成も採用することができる。この場合、逆止弁２Ｂの両端側にストッパ２０を設けておけばよい。
【図面の簡単な説明】
【００５２】
【図１】本発明に係る冷媒絞り装置を備えた冷凍サイクル図
【図２】第１実施形態の冷媒絞り装置の平面図
【図３】逆止弁を示す図で、（ａ）は背面図、（ｂ）は平面図、（ｃ）は正面図
【図４】逆止弁の断面図
【図５】第２実施形態の冷媒絞り装置の平面図
【図６】暖房用キャピラリチューブの側面図
【図７】逆止弁を示す図で、（ａ）は背面図、（ｂ）は平面図、（ｃ）は正面図
【図８】逆止弁の断面図
【図９】逆止弁を逆接続した冷媒絞り装置の平面図
【図１０】ストッパを有する逆止弁を逆接続した冷媒絞り装置の平面図
【図１１】従来の冷媒絞り装置の平面図
【図１２】従来の逆止弁を示す図で、（ａ）は背面図、（ｂ）は平面図、（ｃ）は正面図
【符号の説明】
【００５３】
１Ａ、１Ｂ  冷媒絞り装置
２Ａ、２Ｂ  逆止弁
３          暖房用キャピラリチューブ
６、７      室内側キャピラリチューブ
９、１０    室外側キャピラリチューブ
１８        ビード
１９        挿入部
２０        ストッパ
【図１】
2007024351.tif 000003
【図２】
2007024351.tif 000004
【図３】
2007024351.tif 000005
【図４】
2007024351.tif 000006
【図５】
2007024351.tif 000007
【図６】
2007024351.tif 000008
【図７】
2007024351.tif 000009
【図８】
2007024351.tif 000010
【図９】
2007024351.tif 000011
【図１０】
2007024351.tif 000012
【図１１】
2007024351.tif 000013
【図１２】
2007024351.tif 000014